(57)【要約】【課題】製造コストの高騰を招くことなく、１つの遠隔操作装置の操作によって複数の機器に対して所定の処理を同様に実行させ、かつ、遠隔操作の対象機器を容易に設置し得る遠隔操作装置を提供する。【解決手段】操作スイッチを有する操作部２１と、操作スイッチの操作に応じて予め規定された操作信号Ｓ２を生成する制御部２２と、制御部２２の制御に従って操作信号Ｓ２に対応する操作信号Ｓ３を送信する送信部２４とを備え、制御部２２は、予め規定された再送信開始操作に続いて所定の操作が行われたときに、再送信した操作信号Ｓ３であることを示す再送信情報を上記の所定の操作に対応する操作信号Ｓ２に付加して送信部２４から操作信号Ｓ３として送信させる。【選択図】図１
2009027226.tif 000002
【特許請求の範囲】
【請求項１】
操作スイッチと、当該操作スイッチの操作に応じて予め規定された操作信号を生成する制御部と、当該制御部の制御に従って前記操作信号を送信する送信部とを備え、
前記制御部は、予め規定された再送信開始操作に続いて所定の操作が行われたときに、再送信した前記操作信号であることを示す再送信情報を当該所定の操作に対応する前記操作信号に付加して前記送信部から送信させる遠隔操作装置。
【請求項２】
再送信スイッチを備え、
前記制御部は、前記再送信スイッチが操作されたときに前記再送信開始操作が行われたとする請求項１記載の遠隔操作装置。
【請求項３】
前記制御部は、複数回に亘って連続して実行可能な所定処理の実行を指示する前記操作スイッチがＮ回（Ｎは、２以上の各自然数）連続して操作されたときに、当該操作スイッチの（Ｎ−１）回目の操作に応じて送信した前記操作信号と区別させる識別情報を当該操作スイッチのＮ回目の操作に応じて送信する前記操作信号に付加する請求項１または２記載の遠隔操作装置。
【請求項４】
遠隔操作装置から送信された操作信号を受信する受信部と、前記操作信号の信号種別を特定可能な信号情報を記憶する記憶部と、前記受信部によって前記操作信号が受信されたときに対象機器を制御して当該受信された操作信号に対応して予め規定された所定処理を実行させると共に当該受信された操作信号の前記信号情報を前記記憶部に記憶させる制御部とを備え、
前記制御部は、再送信された前記操作信号であることを示す再送信情報を付加した当該操作信号が前記受信部によって受信されたときに、当該受信された操作信号の信号種別と前記記憶部に記憶されている前記信号情報によって特定される信号種別とが相違するときには当該受信された操作信号に対応する前記所定処理を前記対象機器に実行させると共に当該記憶部に記憶されている当該信号情報に代えて当該受信された操作信号の前記信号情報を前記記憶部に記憶させ、前記受信された操作信号の信号種別と前記記憶部に記憶されている前記信号情報によって特定される信号種別とが同じときには当該操作信号の受信前の作動状態を維持する制御装置。
【請求項５】
請求項１から３のいずれかに記載の遠隔操作装置と、請求項４記載の制御装置とを備え、前記遠隔操作装置における前記操作スイッチの操作によって前記制御装置を介して前記対象機器を遠隔操作可能に構成されている制御システム。
【請求項６】
請求項５記載の制御システムと、前記対象機器としての投写機構を備え、前記遠隔操作装置における前記操作スイッチの操作によって前記制御装置を介して前記投写機構を遠隔操作可能に構成されているプロジェクタ。
【請求項７】
操作スイッチの操作に応じて予め規定された操作信号を生成して送信することで対象機器を遠隔操作する遠隔操作方法であって、予め規定された再送信開始操作に続いて所定の操作が行われたときに、再送信した当該操作信号であることを示す再送信情報を当該所定の操作に対応する前記操作信号に付加して送信する遠隔操作方法。
【請求項８】
遠隔操作装置から送信された操作信号を受信したときに対象機器を制御して当該受信した操作信号に対応して予め規定された所定処理を実行させると共に当該受信した操作信号の信号種別を特定可能な信号情報を記憶する制御方法であって、再送信された前記操作信号であることを示す再送信情報を付加した前記操作信号を受信したときに、当該受信した操作信号の信号種別と前記記憶している信号情報によって特定される信号種別とが相違するときには当該受信した操作信号に対応する前記所定処理を前記対象機器に実行させると共に当該記憶している信号情報に代えて当該受信した操作信号の前記信号情報を記憶し、前記受信した操作信号の信号種別と前記記憶している信号情報によって特定される信号種別とが同じときには当該操作信号の受信前の作動状態を維持する制御方法。
【発明の詳細な説明】
【技術分野】
【０００１】
本発明は、操作スイッチの操作に対応する操作信号を送信して対象機器を遠隔操作する遠隔操作装置および遠隔操作方法と、遠隔操作装置からの操作信号に基づいて対象機器に所定処理を実行させる制御装置および制御方法と、上記の遠隔操作装置および制御装置を備えて構成された制御システムと、その制御システムおよび上記の対象機器としての投写機構を備えて構成されたプロジェクタとに関するものである。
【背景技術】
【０００２】
講演会や展示会などの広い会場においては、複数台のプロジェクタを使用して複数の表示画面を同時に表示させるといったプロジェクタの使用方法が採用されることがある。この場合、このような使用形態において、プロジェクタに付属のリモートコントローラ（例えば、赤外線通信方式の遠隔操作装置：以下、「リモコン」ともいう）を用いて、複数台のプロジェクタを遠隔操作したときに、リモコン操作に伴って送信される操作信号がすべてのプロジェクタによって正常に受信されたときには、操作信号に対応する所定の処理が各プロジェクタによってそれぞれ実行される。しかしながら、いずれかのプロジェクタによって操作信号が正常に受信されなかったとき（いずれかのプロジェクタによって所定の処理が実行されなかったとき）に、リモコンを再操作してそのプロジェクタに対して操作信号を再送信したときには、所望のプロジェクタだけでなく、既に所定の処理の実行が完了している（前回の操作信号を正常に受信した）プロジェクタまでもが再送信した操作信号を受信して反応する事態が生じる。このため、所望のプロジェクタのみ（最初のリモコン操作時に反応しなかったプロジェクタのみ）を対象とする遠隔操作を行うときには、そのプロジェクタ以外のプロジェクタがリモコンからの操作信号を受信しないように、これらのプロジェクタにおける受信部を手や紙で覆うなどの工夫が必要となっている。
【０００３】
一方、特開２０００−３３０２０１号公報には、例えば、２台のプロジェクタのうちの一方をマスタ装置とし、かつ他方のプロジェクタをスレーブ装置として設定すると共に、リモコンからの操作信号をマスタ装置にのみ受信させて、マスタ装置を介してスレーブ装置を遠隔操作する技術が開示されている。具体的には、まず、信号ケーブル（ＲＳ２３２Ｃケーブル）を介して２台のプロジェクタを相互に接続する。次いで、マスタ装置とする側のプロジェクタにおける切換え手段（スイッチ回路）を第１の状態（リモコンからの操作信号が制御手段に伝達される状態）に切り換えると共に、スレーブ装置とする側のプロジェクタにおける切換え手段（スイッチ回路）を第２の状態（リモコンからの操作信号が制御手段に伝達されない状態）に切り換える。これにより、スレーブ装置がリモコンからの操作信号に反応せず、マスタ装置のみがリモコンからの操作信号に反応する状態となる。
【０００４】
この状態において、マスタ装置を遠隔操作する際には、リモコンに配設された所定のボタン（スイッチ）を操作することで操作対象を「MASTER」にセットした状態において、所望の操作を行う。これにより、マスタ装置を対象とする所定の操作信号がリモコンから送信され、この操作信号を受信したマスタ装置が、受信した操作信号に応じた動作を開始する。一方、スレーブ装置を遠隔操作する際には、リモコンに配設された所定のボタン（スイッチ）を操作することで操作対象を「SLAVE 」にセットした状態において、所望の操作を行う。この際には、スレーブ装置を対象とする所定の操作信号がリモコンから送信され、この操作信号を受信したマスタ装置が、信号ケーブルを介してスレーブ装置に操作信号を送信（転送）する。これにより、操作信号を受信したスレーブ装置が、受信した操作信号に応じた動作を開始する。
【特許文献１】特開２０００−３３０２０１号公報（第４−１１頁、第１−２３図）
【発明の開示】
【発明が解決しようとする課題】
【０００５】
ところが、従来のプロジェクタには、以下の問題点がある。すなわち、従来のプロジェクタでは、所望の機器を遠隔操作可能とするために、２台のプロジェクタの一方（マスタ装置）のみがリモコンからの操作信号を受信するように設定すると共に、信号ケーブルを介して２台のプロジェクタ（マスタ装置およびスレーブ装置）を相互に接続して、マスタ装置を介してスレーブ装置を遠隔操作する構成が採用されている。このため、従来のプロジェクタには、上記の信号ケーブルを介して操作信号等を送受信するための制御回路や、信号ケーブルを接続するための接続コネクタを必要とする分だけ、その製造コストが高騰しているという問題点がある。また、信号ケーブルを介してマスタ装置およびスレーブ装置を相互に接続する必要があるため、従来のプロジェクタには、その設置作業が煩雑となっているという問題点もある。
【０００６】
本発明は、かかる問題点に鑑みてなされたものであり、製造コストの高騰を招くことなく、１つの遠隔操作装置の操作によって複数の機器に対して所定の処理を同様に実行させ、かつ、遠隔操作の対象機器を容易に設置し得る遠隔操作装置、制御装置、制御システム、プロジェクタ、遠隔操作方法および制御方法を提供することを主目的とする。
【課題を解決するための手段】
【０００７】
上記目的を達成すべく、本発明に係る遠隔操作装置は、操作スイッチと、当該操作スイッチの操作に応じて予め規定された操作信号を生成する制御部と、当該制御部の制御に従って前記操作信号を送信する送信部とを備え、前記制御部は、予め規定された再送信開始操作に続いて所定の操作が行われたときに、再送信した前記操作信号であることを示す再送信情報を当該所定の操作に対応する前記操作信号に付加して前記送信部から送信させる。
【０００８】
また、本発明に係る遠隔操作方法は、操作スイッチの操作に応じて予め規定された操作信号を生成して送信することで対象機器を遠隔操作する遠隔操作方法であって、予め規定された再送信開始操作に続いて所定の操作が行われたときに、再送信した当該操作信号であることを示す再送信情報を当該所定の操作に対応する前記操作信号に付加して送信する。
【０００９】
この遠隔操作装置および遠隔操作方法によれば、予め規定された再送信開始操作に続いて所定の操作が行われたときに、再送信した操作信号であることを示す再送信情報を所定の操作に対応する操作信号に付加して送信することで対象機器を遠隔操作することにより、複数台の対象機器を同時に使用して１台の遠隔操作装置で遠隔操作する際に、各対象機器を信号ケーブルで相互に接続することなく、再送信情報を付加した操作信号を送信するだけで、所望の機器（操作信号の送信に対して反応しなかった機器）のみに対して操作信号に基づく各種の動作を実行させることができる。このため、この遠隔操作装置およびその遠隔操作方法によれば、１つの遠隔操作装置を使用して複数の機器に対して所定の処理を同様に実行させることができる。また、この遠隔操作装置およびその遠隔操作方法によれば、信号ケーブルを介して操作信号を送受信するための構成（制御回路や接続コネクタ）が不要となる分だけ対象機器の製造コストを低減することができると共に、信号ケーブルの接続を不要にして複数台の対象機器を迅速かつ容易に設置することができる。
【００１０】
また、本発明に係る遠隔操作装置は、再送信スイッチを備え、前記制御部が、前記再送信スイッチが操作されたときに前記再送信開始操作が行われたとする。
【００１１】
この遠隔操作装置によれば、再送信スイッチが操作されたときに制御部が再送信開始操作が行われたとすることにより、この種の遠隔操作装置の操作に不慣れな利用者に対しても、再送信情報を付加した操作信号を容易に送信させることができる。
【００１２】
さらに、本発明に係る遠隔操作装置は、前記制御部が、複数回に亘って連続して実行可能な所定処理の実行を指示する前記操作スイッチがＮ回（Ｎは、２以上の各自然数）連続して操作されたときに、当該操作スイッチの（Ｎ−１）回目の操作に応じて送信した前記操作信号と区別させる識別情報を当該操作スイッチのＮ回目の操作に応じて送信する前記操作信号に付加する。
【００１３】
この遠隔操作装置では、複数回に亘って連続して実行可能な所定処理の実行を指示する操作スイッチがＮ回連続して操作されたときに、制御部が、操作スイッチの（Ｎ−１）回目の操作に応じて送信した操作信号と区別させる識別情報を操作スイッチのＮ回目の操作に応じて送信する操作信号に付加する。したがって、この遠隔操作装置によれば、「複数回に亘って連続して実行可能な所定処理の実行を指示する操作スイッチ」を複数回に亘って連続して操作したときに、２回目以降の操作に伴って送信した操作信号に基づく制御が実行されずにその操作信号の送信前の動作状態が維持される事態を回避して、操作回数に応じた所望の回数だけ所望の処理を実行させることができる。
【００１４】
また、本発明に係る制御装置は、遠隔操作装置から送信された操作信号を受信する受信部と、前記操作信号の信号種別を特定可能な信号情報を記憶する記憶部と、前記受信部によって前記操作信号が受信されたときに対象機器を制御して当該受信された操作信号に対応して予め規定された所定処理を実行させると共に当該受信された操作信号の前記信号情報を前記記憶部に記憶させる制御部とを備え、前記制御部が、再送信された前記操作信号であることを示す再送信情報を付加した当該操作信号が前記受信部によって受信されたときに、当該受信された操作信号の信号種別と前記記憶部に記憶されている前記信号情報によって特定される信号種別とが相違するときには当該受信された操作信号に対応する前記所定処理を前記対象機器に実行させると共に当該記憶部に記憶されている当該信号情報に代えて当該受信された操作信号の前記信号情報を前記記憶部に記憶させ、前記受信された操作信号の信号種別と前記記憶部に記憶されている前記信号情報によって特定される信号種別とが同じときには当該操作信号の受信前の作動状態を維持する。
【００１５】
また、本発明に係る制御方法は、遠隔操作装置から送信された操作信号を受信したときに対象機器を制御して当該受信した操作信号に対応して予め規定された所定処理を実行させると共に当該受信した操作信号の信号種別を特定可能な信号情報を記憶する制御方法であって、再送信された前記操作信号であることを示す再送信情報を付加した前記操作信号を受信したときに、当該受信した操作信号の信号種別と前記記憶している信号情報によって特定される信号種別とが相違するときには当該受信した操作信号に対応する前記所定処理を前記対象機器に実行させると共に当該記憶している信号情報に代えて当該受信した操作信号の前記信号情報を記憶し、前記受信した操作信号の信号種別と前記記憶している信号情報によって特定される信号種別とが同じときには当該操作信号の受信前の作動状態を維持する。
【００１６】
この制御装置および制御方法では、再送信情報を付加した操作信号を受信したときに、受信した操作信号の信号種別と記憶している信号情報によって特定される信号種別とが相違するときには受信した操作信号に対応する所定処理を対象機器に実行させると共に記憶している信号情報に代えて受信した操作信号の信号種別を特定可能な信号情報を記憶させ、受信した操作信号の信号種別と記憶している信号情報によって特定される信号種別とが同じときにはその操作信号に基づく対象機器の制御を実行することなく受信前の作動状態を維持する。したがって、この制御装置および制御方法によれば、複数台の対象機器を同時に使用して１台の遠隔操作装置で遠隔操作する際に、各対象機器を信号ケーブルで相互に接続することなく、再送信情報を付加した操作信号を遠隔操作装置から送信するだけで、所望の機器（操作信号の送信に対して反応しなかった対象機器）のみに対して操作信号に基づく各種の動作を実行させることができる。このため、この制御装置およびその制御方法によれば、信号ケーブルを介して操作信号を送受信するための構成（制御回路や接続コネクタ）が不要となる分だけ制御装置の製造コストを低減することができると共に、信号ケーブルの接続を不要として複数台の対象機器を迅速かつ容易に設置することができる。
【００１７】
また、本発明に係る制御システムは、上記のいずれかの遠隔操作装置と、上記の制御装置とを備え、前記遠隔操作装置における前記操作スイッチの操作によって前記制御装置を介して前記対象機器を遠隔操作可能に構成されている。
【００１８】
この制御システムによれば、上記のいずれかに記載の遠隔操作装置と、上記の制御装置とを備え、遠隔操作装置における操作スイッチの操作によって制御装置を介して対象機器を遠隔操作可能に構成したことにより、信号ケーブルを介して操作信号を送受信するための構成（制御回路や接続コネクタ）を不要にできる分だけ制御システムの製造コストを低減することができると共に、信号ケーブルの接続を不要として複数台の対象機器を迅速かつ容易に設置することができる。
【００１９】
また、本発明に係るプロジェクタは、上記の制御システムと、前記対象機器としての投写機構を備え、前記遠隔操作装置における前記操作スイッチの操作によって前記制御装置を介して前記投写機構を遠隔操作可能に構成されている。
【００２０】
このプロジェクタによれば、上記の制御システムと、対象機器としての投写機構を備え、遠隔操作装置における操作スイッチの操作によって制御装置を介して投写機構を遠隔操作可能に構成したことにより、信号ケーブルを介して操作信号を送受信するための構成（制御回路や接続コネクタ）を不要にできる分だけプロジェクタの製造コストを低減することができると共に、信号ケーブルの接続を不要として複数台のプロジェクタを迅速かつ容易に設置することができる。
【発明を実施するための最良の形態】
【００２１】
以下、本発明に係る遠隔操作装置、制御装置、制御システム、プロジェクタ、遠隔操作方法および制御方法の最良の形態について、添付図面を参照して説明する。図１に示すプロジェクタ１は、本発明に係るプロジェクタの一例であるフロント投写型のプロジェクタであって、外部装置５（光ディスクプレーヤおよびデジタルチューナなどの各種の視聴覚機器や、パーソナルコンピュータ等）から出力された映像音声信号Ｓａｖに基づく映像を図示しないスクリーンに表示させると共に、映像音声信号Ｓａｖに基づく音声を出力可能に構成されている。また、プロジェクタ１は、本発明に係る制御装置と本発明における対象機器とが一体的に構成されたプロジェクタ本体２と、本発明に係る遠隔操作装置に相当するリモートコントローラ３とを備えて構成されている。
【００２２】
プロジェクタ本体２は、切替部１１、映像音声処理部１２、映像表示部１３、音声出力部１４、受信部１５、操作信号処理部１６、記憶部１７、制御部１８および電源部１９を備えて、これらが図示しない筐体内に収容されて構成されている。この場合、このプロジェクタ１（プロジェクタ本体２）では、操作信号処理部１６、記憶部１７、制御部１８および電源部１９が本発明における制御装置を構成すると共に、切替部１１、映像音声処理部１２、映像表示部１３、音声出力部１４および電源部１９が本発明における対象機器を構成する。また、この例では、操作信号処理部１６、記憶部１７、制御部１８および電源部１９と、リモートコントローラ３とによって本発明における制御システムが構成されている。
【００２３】
切替部１１は、いわゆる入力ソース切替部であって、制御部１８からの制御信号Ｓ５に従って複数の外部装置５のうちのいずれかを映像音声処理部１２に接続することにより、その外部装置５から出力された映像音声信号Ｓａｖを映像音声処理部１２に転送する。映像音声処理部１２は、制御部１８からの制御信号Ｓ６に従い、映像音声信号Ｓａｖに基づいて映像信号Ｓｖおよび音声信号Ｓａを生成して、映像信号Ｓｖを映像表示部１３に出力すると共に音声信号Ｓａを音声出力部１４に出力する。
【００２４】
映像表示部１３は、本発明における投写機構を構成し、光源ランプ、ランプ駆動部、液晶ライトバルブ（光変調素子の一例）、ライトバルブ駆動部（変調素子駆動部の一例）および投写レンズ等（いずれも図示せず）を備え、映像音声処理部１２から出力された映像信号Ｓｖに基づいて光源ランプからの光を液晶ライトバルブによって光変調して投写レンズを介してスクリーンに投写する（映像信号Ｓｖに基づく映像をスクリーンに表示させる）。この場合、映像表示部１３に配設された光源ランプは、一例として、メタルハライドランプや高圧水銀ランプで構成されて、上記のランプ駆動部の制御に従って点灯することで白色光を射出する。音声出力部１４は、アンプやスピーカを備え（図示せず）、映像音声処理部１２から出力された音声信号Ｓａに基づく音声をスピーカから出力する。
【００２５】
受信部１５は、後述するようにしてリモートコントローラ３から送信された操作信号Ｓ３（一例として、赤外線信号）を受信すると共に、受信した操作信号Ｓ３を光電変換処理して操作信号Ｓ４を生成して操作信号処理部１６に出力する。操作信号処理部１６は、制御部１８と相俟って本発明における制御部を構成し、受信部１５から出力された操作信号Ｓ４（すなわち、受信部１５によって受信された操作信号Ｓ３）を制御部１８に転送する。この場合、操作信号処理部１６は、後述するようにして、図４に示す動作制御処理６０を実行する。この際に、操作信号処理部１６は、後述するようにして、受信部１５からの操作信号Ｓ４に再送信情報が付加されていたときに、その操作信号Ｓ４の信号種別と、記憶部１７に記憶されている操作信号情報Ｄ２によって特定される信号種別とに基づき、両信号種別が相違するときには受信部１５から出力された操作信号Ｓ４を制御部１８に転送し、両信号種別が同じときには受信部１５から出力された操作信号Ｓ４を制御部１８に転送せずに消去する。また、操作信号処理部１６は、制御部１８に対して操作信号Ｓ４を転送したときに、その操作信号Ｓ４の信号種別に基づいて操作信号情報Ｄ２を生成し、生成した操作信号情報Ｄ２を記憶部１７に記憶させる（上書きする）。
【００２６】
記憶部１７は、操作信号処理部１６によって生成された操作信号情報Ｄ２（操作信号処理部１６が制御部１８に転送した操作信号Ｓ４の信号種別を特定可能な情報：本発明における信号情報の一例）を記憶する。制御部１８は、プロジェクタ１を総括的に制御する。具体的には、制御部１８は、操作信号処理部１６からの操作信号Ｓ４に応じて、切替部１１に対して制御信号Ｓ５を出力して所定の外部装置５を映像音声処理部１２に接続させる処理（本発明における「所定処理」の一例）と、映像音声処理部１２に対して制御信号Ｓ６を出力して映像音声信号Ｓａｖに基づく映像信号Ｓｖや音声信号Ｓａを映像表示部１３や音声出力部１４に出力させる（映像の表示や音声の出力を実行させる）処理（本発明における「所定処理」の他の一例）と、電源部１９に対して制御信号Ｓ７を出力して電源を供給させる処理（本発明における「所定処理」のさらに他の一例）とを実行する。電源部１９は、制御部１８から制御信号Ｓ７に従ってプロジェクタ１の各部に対して電源を供給する。
【００２７】
一方、リモートコントローラ３は、一例として、プロジェクタ１専用の（プロジェクタ本体２に付属の）無線通信方式の遠隔操作装置であって、操作部２１、制御部２２、記憶部２３、送信部２４およびタイマ２５を備えて、プロジェクタ本体２を遠隔操作するための上記の操作信号Ｓ３を送信可能に構成されている。操作部２１は、図２に示すように、電源スイッチ３１、メニュースイッチ３２、ズームスイッチ３３ａ，３３ｂ、決定スイッチ３４、戻るスイッチ３５、音量調整スイッチ３６ａ，３６ｂ、カーソル移動スイッチ３７および再送信スイッチ３８などの各種の操作スイッチを備え、図１に示すように、各操作スイッチのスイッチ操作に応じた操作信号Ｓ１を制御部２２に出力する。制御部２２は、操作部２１から操作信号Ｓ１が出力されたときに、後述するようにして、図３に示す遠隔操作処理４０を開始して、出力された操作信号Ｓ１と記憶部２３に記憶されている操作信号情報Ｄ１とに基づいてプロジェクタ本体２に送信すべき操作信号Ｓ３の内容（プロジェクタ本体２に対する指示内容）に応じた操作信号Ｓ２を生成して送信部２４に出力する。
【００２８】
記憶部２３は、上記の操作信号Ｓ１によって指示される遠隔操作の種類を特定可能な情報（リモコンコード）が記録された操作信号情報Ｄ１や、後述する再送信フラグの値（「オン状態」を示す値、および「オフ状態」を示す値）を記憶する。送信部２４は、制御部２２から出力された操作信号Ｓ２を電光変換処理して操作信号Ｓ３（この例では、赤外線信号）として送信する。なお、リモートコントローラ３とプロジェクタ本体２との間の操作信号Ｓ３の通信方式は、上記の例のような赤外線信号を送受信する赤外線通信方式に限定されず、赤外線以外の各種の光線や電波を用いた各種の無線通信方式を採用することができる。タイマ２５は、制御部２２の制御に従って所定時間を計時する。
【００２９】
このプロジェクタ１では、横長の大きなスクリーン（図示せず）に横長の映像を表示させる際に、例えば２台のプロジェクタ本体２を並べて設置して、一方のプロジェクタ本体２によって映像の左半分を表示すると共に、他方のプロジェクタ本体２によって映像の右半分を表示することができる。この際に、このプロジェクタ１では、１台のリモートコントローラ３（上記の両プロジェクタ本体２のいずれかに付属のリモートコントローラ３）を用いて両プロジェクタ本体２を同時に遠隔操作することが可能となっている。具体的には、２台のプロジェクタ本体２を並べて設置して、両プロジェクタ本体２と外部装置５とをそれぞれ信号ケーブル（外部装置５から両プロジェクタ本体２に映像音声信号Ｓａｖを出力するためのケーブル）で接続すると共に、プロジェクタ本体２の主電源スイッチ（図示せず）を投入操作する。これにより、両プロジェクタ本体２がリモートコントローラ３からの操作信号Ｓ３を受信可能な状態となる。
【００３０】
次いで、両プロジェクタ本体２の動作を開始させるために、リモートコントローラ３の送信部２４を両プロジェクタ本体２の受信部１５に向けた状態で操作部２１の電源スイッチ３１を操作する。この際には、リモートコントローラ３の制御部２２によって図３に示す遠隔操作処理４０が開始される。この遠隔操作処理４０では、制御部２２は、まず、操作部２１から出力された操作信号Ｓ１に基づいて再送信スイッチ３８が操作されたか否かを判別する（ステップ４１）。この際に、制御部２２は、電源スイッチ３１が操作された（再送信スイッチ３８ではない）と判別すると共に、記憶部２３から操作信号情報Ｄ１を読み出す（ステップ４２）。次いで、制御部２２は、後述する再送信フラグがオフである（オンではない）と判別して（ステップ４３）、操作信号Ｓ１に対応する（電源投入を指示する）操作信号Ｓ２を生成して送信部２４に出力し（ステップ４４）。この遠隔操作処理４０を終了する。これにより、送信部２４から操作信号Ｓ２に対応する操作信号Ｓ３（この例では、「電源投入／遮断」を指示する操作信号Ｓ３）が送信される。
【００３１】
一方、プロジェクタ本体２側では、リモートコントローラ３からの操作信号Ｓ３が受信部１５によって受信されたとき（操作信号Ｓ３に対応する操作信号Ｓ４が受信部１５から出力されたとき）に、操作信号処理部１６が、図４に示す動作制御処理６０を開始する。この動作制御処理６０では、操作信号処理部１６は、まず、受信部１５から出力された操作信号Ｓ４（すなわち、リモートコントローラ３から送信された操作信号Ｓ３）に再送信情報（詳しくは、後述する）が付加されているか否かを判別する（ステップ６１）。この際に、操作信号処理部１６は、再送信情報が付加されていないと判別し、操作信号Ｓ４の指示内容（信号種別）を特定する（ステップ６２）。この際に、操作信号処理部１６は、操作信号Ｓ４が「電源投入／遮断」を指示する操作信号である（操作信号Ｓ４の信号種別が「電源投入／遮断」である）と特定し、特定内容に基づいて操作信号情報Ｄ２を生成する。
【００３２】
次いで、操作信号処理部１６は生成した操作信号情報Ｄ２を記憶部２３に記憶させると共に（ステップ６３）、受信部１５から出力された操作信号Ｓ４を制御部１８に転送して（ステップ６４）、この動作制御処理６０を終了する。これに応じて、制御部１８は、操作信号処理部１６からの操作信号Ｓ４に従って電源部１９に制御信号Ｓ７を出力してプロジェクタ本体２の各部に対する電源の供給を開始させる。これにより、映像表示部１３における光源ランプが点灯されて、一例として、ブルーバック画面（映像音声信号Ｓａｖが入力されていない状態において、表示させる初期画面）がスクリーンに表示される。
【００３３】
この際に、上記の２台のプロジェクタ本体２のうちのいずれかが、リモートコントローラ３からの操作信号Ｓ３を正常に受信することができず、電源が投入されなかったとき（いずれかのプロジェクタ本体２によるブルーバック画面の表示が実行されなかったとき）には、リモートコントローラ３を操作して「電源投入／遮断」を指示する操作信号Ｓ３を再送信する。具体的には、まず、リモートコントローラ３の操作部２１における再送信スイッチ３８を操作する（本発明における「再送信開始操作」の一例）。この際には、操作部２１から操作信号Ｓ１が出力されるのに伴い、制御部２２によって上記の遠隔操作処理４０が開始される。この際に、制御部２２は、操作部２１からの操作信号Ｓ１に基づき、再送信スイッチ３８が操作されたと判別すると共に（ステップ４１）、タイマ２５を制御して規定時間（一例として、５秒）の計時を開始させる（タイマスタート：ステップ４５）。次いで、制御部２２は、記憶部２３内の再送信フラグ（この後に送信する操作信号Ｓ３が再送信の操作信号であるか否かを特定するためのフラグ）をオン状態に制御する（ステップ４６）。
【００３４】
続いて、制御部２２は、操作部２１の各操作スイッチが操作されたか否かの監視（ステップ４７）と、上記のタイマ２５による計時が規定時間に達したか否か（規定時間が経過したか否か）の監視（ステップ４８）とを交互に繰り返して実行する。この際に、再送信スイッチ３８の操作時点から５秒が経過するまでの間（タイマスタートから規定時間が経過するまでの間）にいずれの操作スイッチも操作されなかったときには（ステップ４８）、制御部２２は、記憶部２３内の再送信フラグをクリアして（ステップ４９）、この遠隔操作処理４０を終了する。一方、再送信スイッチ３８の操作時点から５秒が経過するまでの間にいずれかの操作スイッチが操作されたときには（ステップ４７）、制御部２２は、再送信スイッチ３８以外の操作スイッチ（例えば、上記の例においてブルーバック画面が表示されなかったプロジェクタ本体２の電源を投入するために操作された電源スイッチ３１）が操作されたと判別し（ステップ４１）、記憶部２３から操作信号情報Ｄ１を読み出す（ステップ４２）。  
【００３５】
次いで、制御部２２は、記憶部２３の再送信フラグがオン状態に制御されていると判別し（ステップ４３）、操作信号Ｓ１に基づいて生成する操作信号Ｓ２（この例では、電源スイッチ３１の操作に応じて「電源投入／遮断」を指示する操作信号Ｓ２）に、その操作信号Ｓ２が再送信した操作信号であることを示す再送信情報を付加する（ステップ５０）。続いて、制御部２２は、記憶部２３内の再送信フラグをクリアして（ステップ５１）、再送信情報を付加した操作信号Ｓ２を送信部２４に出力し（ステップ４４）。この遠隔操作処理４０を終了する。これにより、送信部２４から再送信情報が付加された操作信号Ｓ２に対応する操作信号Ｓ３（この例では、「電源投入／遮断」を指示する再送信の操作信号Ｓ３）が送信される。
【００３６】
これに応じて、両プロジェクタ本体２側では、リモートコントローラ３からの操作信号Ｓ３が受信部１５によって受信されたとき（操作信号Ｓ３に対応する操作信号Ｓ４が受信部１５から出力されたとき）に、操作信号処理部１６が、上記の動作制御処理６０を開始する。この際に、上記の例において既にブルーバック画面を表示してるプロジェクタ本体２（リモートコントローラ３からの最初の操作信号Ｓ３が正常に受信されたプロジェクタ本体２）では、操作信号処理部１６が、まず、受信部１５から出力された操作信号Ｓ４（すなわち、リモートコントローラ３から送信された操作信号Ｓ３）に再送信情報が付加されていると判別し（ステップ６１）、操作信号Ｓ４の指示内容（信号種別）を特定する（ステップ６５）。この際に、操作信号処理部１６は、操作信号Ｓ４が「電源投入／遮断」を指示する操作信号である（操作信号Ｓ４の信号種別が「電源投入／遮断」である）と特定する。
【００３７】
次いで、操作信号処理部１６は、記憶部１７から操作信号情報Ｄ２を読み出して、操作信号情報Ｄ２によって特定される信号種別（すなわち、前回受信した操作信号Ｓ３の信号種別：この例では、「電源投入／遮断」）を特定すると共に（ステップ６６）、受信部１５から出力された操作信号Ｓ４の信号種別と、操作信号情報Ｄ２に基づいて特定した信号種別とが同一か否かを判別する（ステップ６７）。この際に、操作信号処理部１６は、両信号種別が同一である（この例では、双方とも「電源投入／遮断」である）と判別し、受信部１５から出力された操作信号Ｓ４を制御部１８に転送することなく、この遠隔操作処理４０を終了する。この結果、リモートコントローラ３から出力された操作信号Ｓ３に基づく制御部１８によるプロジェクタ本体２の制御が実行されることなく、その操作信号Ｓ３の受信前の作動状態（電源が投入された状態：一例として、ブルーバック画面を表示した状態）が維持される。
【００３８】
一方、上記の例においてブルーバック画面の表示が開始されていないプロジェクタ本体２（リモートコントローラ３からの最初の操作信号Ｓ３が正常に受信されず、電源が投入されていないプロジェクタ本体２）では、受信部１５によってリモートコントローラ３からの操作信号Ｓ３が受信されて操作信号Ｓ４が出力されたときに、操作信号処理部１６が、まず、受信部１５から出力された操作信号Ｓ４（すなわち、リモートコントローラ３から送信された操作信号Ｓ３）に再送信情報が付加されていると判別し（ステップ６１）、操作信号Ｓ４の指示内容（信号種別）を特定する（ステップ６５）。この際に、操作信号処理部１６は、操作信号Ｓ４が「電源投入／遮断」を指示する操作信号である（操作信号Ｓ４の信号種別が「電源投入／遮断」である）と特定する。
【００３９】
次いで、操作信号処理部１６は、記憶部１７から操作信号情報Ｄ２を読み出して、操作信号情報Ｄ２によって特定される信号種別（すなわち、前回受信した操作信号Ｓ３の信号種別）を特定する（ステップ６６）。この場合、このプロジェクタ本体２では、リモートコントローラ３から最初に送信した操作信号Ｓ３（再送信情報を付加されていない状態の「電源投入／遮断」を指示する操作信号Ｓ３）が正常に受信されていないため、記憶部１７には、「電源投入／遮断」以外のいずれかの信号種別に基づいて生成された操作信号情報Ｄ２が記憶されている。したがって、操作信号処理部１６は、受信部１５から出力された操作信号Ｓ４の信号種別と、操作信号情報Ｄ２に基づいて特定した信号種別とが相違すると判別し（ステップ６７）、受信部１５から出力された操作信号Ｓ４の信号種別（この例では、「電源投入／遮断」）に基づいて操作信号情報Ｄ２を生成して記憶部１７に記憶させる（ステップ６３）。
【００４０】
次いで、操作信号処理部１６は、受信部１５から出力された操作信号Ｓ４を制御部１８に転送して（ステップ６４）、この動作制御処理６０を終了する。これに応じて、制御部１８は、操作信号処理部１６からの操作信号Ｓ４に従って電源部１９に制御信号Ｓ７を出力してプロジェクタ本体２の各部に対する電源の供給を開始させる。これにより、映像表示部１３における光源ランプが点灯されてブルーバック画面がスクリーンに表示される。これにより、リモートコントローラ３からの最初の操作信号Ｓ３を正常に受信できなかったプロジェクタ本体２の電源投入が完了し、両プロジェクタ本体２による映像の表示および音声の出力の準備が整った状態となる。したがって、外部装置５から両プロジェクタ本体２に映像音声信号Ｓａｖが出力された際には、両プロジェクタ本体２によって映像信号Ｓｖに基づく映像がスクリーンに表示されると共に音声信号Ｓａに基づく音声が出力される。
【００４１】
この場合、このプロジェクタ１では、プロジェクタ本体２に電源が投入されている状態において、リモートコントローラ３のメニュースイッチ３２が操作されたときには、制御部２２によって上記の遠隔操作処理４０が実行されることにより、信号種別が「メニュー画面の表示／消去」の操作信号Ｓ３がリモートコントローラ３から送信される。また、決定スイッチ３４、または戻るスイッチ３５が操作されたときには、信号種別が「決定（実行）」または「戻る（キャンセル）」の操作信号Ｓ３がリモートコントローラ３から送信される。
【００４２】
一方、例えば、映像表示部１３によって表示されている映像を拡大または縮小すべく（ズーム調整すべく）、ズームスイッチ３３ａ，３３ｂのいずれかが操作されたときには、リモートコントローラ３の制御部２２は、操作部２１から出力された操作信号Ｓ１に対応して生成する操作信号Ｓ２に本発明における識別情報を付加する。この場合、ズームスイッチ３３ａの操作時には、映像を拡大する（映像の投写面積を拡大する）処理が実行され、この拡大処理は、ズームスイッチ３３ａの操作回数に応じて複数回に亘って連続して実行することが可能となっている。また、ズームスイッチ３３ｂの操作時には、映像を縮小する（映像の投写面積を縮小する）処理が実行され、この縮小処理は、ズームスイッチ３３ｂの連続して操作された回数に応じて複数回に亘って連続して実行することが可能となっている。このため、ズームスイッチ３３ａ，３３ｂ、音量調整スイッチ３６ａ，３６ｂおよびカーソル移動スイッチ３７など（本発明における「複数回に亘って連続して実行可能な所定処理の実行を指示する操作スイッチ」の一例）は、連続して複数回に亘って操作される可能性があり、これらの操作スイッチが連続して操作されたときには、直前に操作されたときに送信した操作信号Ｓ３（本発明における「（Ｎ−１）回目の操作」に伴って送信した操作信号Ｓ３）と、最新の操作に伴って送信する操作信号Ｓ３（本発明における「Ｎ回目の操作」に伴って送信する操作信号Ｓ３）とをプロジェクタ本体２に識別させる必要が生じる。
【００４３】
具体的には、一例として、ズームスイッチ３３ａが操作されたときに、制御部２２は、操作部２１からの操作信号Ｓ１に基づいて「映像拡大」との信号種別の操作信号Ｓ２を生成すると共に、この信号種別に対して本発明における識別情報に相当する所定の符号を付与して、例えば「映像拡大−１」との信号種別の操作信号Ｓ２を送信部２４に出力する。これにより、「映像拡大−１」との信号種別の操作信号Ｓ３がリモートコントローラ３から送信され、この操作信号Ｓ３を受信したプロジェクタ本体２によって映像の拡大処理が実行される。この際に、操作信号Ｓ３の受信が正常に行われたプロジェクタ本体２では、信号種別が「映像拡大−１」との操作信号情報Ｄ２が記憶部１７に記憶される。一方、操作信号Ｓ３の受信が正常に行われなかったプロジェクタ本体２では、それ以前に正常に受信された操作信号Ｓ３の信号種別に基づく操作信号情報Ｄ２が記憶部１７に記憶された状態が維持されると共に、操作信号Ｓ３の受信が正常に行われなかったことに起因して、映像の拡大率が維持される。
【００４４】
したがって、操作信号Ｓ３が正常に受信されなかったプロジェクタ本体２の映像の拡大率を調整するために、まず、リモートコントローラ３の再送信スイッチ３８を操作し、その後に、ズームスイッチ３３ａを操作する。この際に、制御部２２は、操作部２１からの操作信号Ｓ１に基づいて「映像拡大」との信号種別の操作信号Ｓ２を生成すると共に、この信号種別に対して本発明における識別情報に相当する所定の符号を付与して、「映像拡大−１」との信号種別で、かつ再送信情報を付加した操作信号Ｓ２を送信部２４に出力する。これにより、再送信情報が付加された「映像拡大−１」との信号種別の操作信号Ｓ３がリモートコントローラ３から送信される。この際に、前回の「映像拡大−１」との信号種別の操作信号Ｓ３を正常に受信したプロジェクタ本体２では、受信部１５から出力される操作信号Ｓ４の信号種別と、記憶部１７に記憶されている操作信号情報Ｄ２に基づく信号種別とが共に「映像拡大−１」であると判別され、リモートコントローラ３から出力された操作信号Ｓ３に基づく映像表示部１３の制御が実行されることなく、その操作信号Ｓ３の受信前の状態（操作信号Ｓ３の受信前の映像の拡大率）が維持される。
【００４５】
一方、前回の「映像拡大−１」との信号種別の操作信号Ｓ３が正常に受信されなかったプロジェクタ本体２では、受信部１５から出力される操作信号Ｓ４の信号種別と、記憶部１７に記憶されている操作信号情報Ｄ２に基づく信号種別とが相違すると判別され、リモートコントローラ３から出力された再送信の操作信号Ｓ３に基づいて、映像の拡大処理が実行される。これにより、最初の操作信号Ｓ３を正常に受信したプロジェクタ本体２、および最初の操作信号Ｓ３を正常に受信しなかったプロジェクタ本体２の双方において、映像の拡大処理がそれぞれ１回ずつ実行され、両プロジェクタ本体２の映像の拡大率が一致した状態となる。さらに、リモートコントローラ３のズームスイッチ３３ａが再び操作されたときには、制御部２２は、操作部２１からの操作信号Ｓ１に基づいて「映像拡大」との信号種別の操作信号Ｓ２を生成すると共に、この信号種別に対して本発明における識別情報に相当する所定の符号を付与して、「映像拡大−２」との信号種別の操作信号Ｓ２を送信部２４に出力する。これにより、「映像拡大−２」との信号種別の操作信号Ｓ３がリモートコントローラ３から送信される。
【００４６】
この場合、両プロジェクタ本体２の記憶部１７には、「映像拡大−１」との信号種別に基づいて生成された操作信号情報Ｄ２が記憶されている。したがって、両プロジェクタ本体２において、前回受信した操作信号Ｓ３とは相違する信号種別の操作信号Ｓ３が受信されたとして、受信部１５から出力された操作信号Ｓ４に基づく２回目の映像拡大処理が実行される。この後、リモートコントローラ３のズームスイッチ３３ａが再び操作されたときには、制御部２２によって「映像拡大−３」との信号種別の操作信号Ｓ２が送信部２４に出力され、これにより、「映像拡大−３」との信号種別の操作信号Ｓ３がリモートコントローラ３から送信される。また、リモートコントローラ３のズームスイッチ３３ａが再び操作されたときには、制御部２２によって「映像拡大−１」との信号種別の操作信号Ｓ２が受信部１５に出力され、これにより、「映像拡大−１」との信号種別の操作信号Ｓ３がリモートコントローラ３から送信される。このように、このリモートコントローラ３では、ズームスイッチ３３ａ等の「複数回に亘って連続して実行可能な所定処理の実行を指示する操作スイッチ」が操作される都度、本発明における識別情報としての「符号」循環させて付加する。なお、上記の例では、識別情報としての符号として「１」〜「３」の３種類の符号を循環させて付加しているが、使用する符号の種類の数はこれに限定されない。
【００４７】
このように、このプロジェクタ１では、ズームスイッチ３３ａ，３３ｂ、音量調整スイッチ３６ａ，３６ｂおよびカーソル移動スイッチ３７などの「複数回に亘って連続して実行可能な処理」の実行を指示する操作スイッチの操作時において、制御部２２が本発明における識別情報としての符号（プロジェクタ本体２によって、直前に送信された操作信号Ｓ３とは相違する操作信号Ｓ３であると区別させるための情報）を信号種別に付加して操作信号Ｓ２を生成する構成が採用されている。これにより、直前に送信した操作信号Ｓ３と同一の信号種別の操作信号Ｓ３が送信されたとしてその操作信号Ｓ３の受信前の作動状態が維持される事態が回避される。なお、本発明における識別情報は、上記の例のような「−１」、「−２」および「−３」のような枝番に限定されず、同一の処理を実行させるための信号種別（リモコンコード）そのものを複数種類用意しておき、ズームスイッチ３３ａなどが操作される都度、種類が相違する信号種別の操作信号Ｓ２を生成する構成を採用することができる。
【００４８】
このように、このプロジェクタ１のリモートコントローラ３、およびリモートコントローラ３によるプロジェクタ本体２の遠隔操作方法によれば、予め規定された再送信開始操作（この例では、再送信スイッチ３８のスイッチ操作）に続いて所定の操作が行われたときに、再送信した操作信号Ｓ３であることを示す再送信情報を所定の操作に対応する操作信号Ｓ３に付加して送信することで対象機器（プロジェクタ本体２）を遠隔操作することにより、複数台のプロジェクタ本体２を同時に使用して１台のリモートコントローラ３で遠隔操作する際に、各プロジェクタ本体２を信号ケーブルで相互に接続することなく、再送信情報を付加した操作信号Ｓ３を送信するだけで、所望のプロジェクタ本体２（操作信号Ｓ３の送信に対して反応しなかったプロジェクタ本体２）のみに対して操作信号Ｓ３に基づく各種の動作を実行させることができる。このため、このリモートコントローラ３およびその遠隔操作方法によれば、１つのリモートコントローラ３を使用して複数の機器（この例では、プロジェクタ本体２）に対して所定の処理を同様に実行させることができる。また、このリモートコントローラ３およびその遠隔操作方法によれば、信号ケーブルを介して操作信号を送受信するための構成（制御回路や接続コネクタ）が不要となる分だけプロジェクタ本体２の製造コストを低減することができると共に、信号ケーブルの接続を不要にして複数台のプロジェクタ本体２を迅速かつ容易に設置することができる。
【００４９】
また、このリモートコントローラ３によれば、再送信スイッチ３８が操作されたときに制御部２２が本発明における再送信開始操作が行われたとすることにより、この種のリモートコントローラ３の操作に不慣れな利用者に対しても、再送信情報を付加した操作信号Ｓ３を容易に送信させることができる。
【００５０】
さらに、このリモートコントローラ３では、複数回に亘って連続して実行可能な所定処理（この例では、映像の拡大処理、映像の縮小処理、音量アップ処理および音量ダウン処理など）の実行を指示する操作スイッチ（ズームスイッチ３３ａ，３３ｂや音量調整スイッチ３６ａ，３６ｂなど）がＮ回（例えば２回）連続して操作されたときに、制御部２２が、操作スイッチの（Ｎ−１）回目（この例では、１回目）の操作に応じて送信した操作信号Ｓ３と区別させる識別情報（この例では、「−２」との符号）を操作スイッチのＮ回目の操作に応じて送信する操作信号Ｓ３に付加する。したがって、このリモートコントローラ３によれば、ズームスイッチ３３ａ，３３ｂや音量調整スイッチ３６ａ，３６ｂなどを複数回に亘って連続して操作したときに、２回目以降の操作に伴って送信した操作信号Ｓ３に基づく制御が実行されずにその操作信号Ｓ３の送信前の動作状態が維持される事態を回避して、操作回数に応じた所望の回数だけ所望の処理を実行させることができる。
【００５１】
また、このプロジェクタ１のプロジェクタ本体２、およびその制御方法では、再送信情報を付加した操作信号Ｓ３を受信したとき（再送信情報を付加した操作信号Ｓ３に対応する操作信号Ｓ４が受信部１５から出力されたとき）に、受信した操作信号Ｓ３の信号種別と記憶部１７に記憶されている操作信号情報Ｄ２によって特定される信号種別とが相違するときには受信した操作信号Ｓ３に対応する所定処理を対象機器（この例では、切替部１１、映像音声処理部１２、映像表示部１３（投写機構）および音声出力部１４）に実行させると共に記憶されている操作信号情報Ｄ２に代えて受信した操作信号Ｓ３の信号種別を特定可能な操作信号情報Ｄ２を記憶部１７に記憶させ、受信した操作信号Ｓ３の信号種別と記憶部１７に記憶されている操作信号情報Ｄ２によって特定される信号種別とが同じときには受信した操作信号Ｓ３に基づく対象機器の制御を実行することなく、その操作信号Ｓ３の受信前の作動状態を維持する。
【００５２】
したがって、このプロジェクタ１（プロジェクタ本体２）およびその制御方法によれば、複数台のプロジェクタ本体２を同時に使用して１台のリモートコントローラ３で遠隔操作する際に、各プロジェクタ本体２を信号ケーブルで相互に接続することなく、再送信情報を付加した操作信号Ｓ３をリモートコントローラ３から送信するだけで、所望のプロジェクタ本体２（操作信号Ｓ３の送信に対して反応しなかったプロジェクタ本体２）のみに対して操作信号Ｓ３に基づく各種の動作を実行させることができる。このため、プロジェクタ本体２およびその制御方法によれば、信号ケーブルを介して操作信号を送受信するための構成（制御回路や接続コネクタ）が不要となる分だけプロジェクタ本体２の製造コストを低減することができると共に、信号ケーブルの接続を不要として複数台のプロジェクタ本体２を迅速かつ容易に設置することができる。
【００５３】
また、このプロジェクタ１では、本発明に係る遠隔操作装置に相当するリモートコントローラ３と、本発明に係る制御装置（受信部１５、操作信号処理部１６、記憶部１７、制御部１８および電源部１９）とを備え、リモートコントローラ３における操作部２１のスイッチ操作によって上記の制御装置を介して対象機器（この例では、切替部１１、映像音声処理部１２、映像表示部１３および音声出力部１４）を遠隔操作可能に構成されている。また、このプロジェクタ１では、本発明における制御システム（上記の制御装置およびリモートコントローラ３）と、本発明における対象機器としての投写機構（映像表示部１３）を備え、リモートコントローラ３における操作部２１の操作によって上記の制御装置を介して映像表示部１３を遠隔操作可能に構成されている。したがって、このプロジェクタ１によれば、信号ケーブルを介して操作信号を送受信するための構成（制御回路や接続コネクタ）を不要にできる分だけプロジェクタ本体２の製造コストを低減することができると共に、信号ケーブルの接続を不要として複数台のプロジェクタ本体２を迅速かつ容易に設置することができる。
【００５４】
なお、本発明は、上記の構成に限定されない。例えば、再送信スイッチ３８を配設すると共に、この再送信スイッチ３８の操作時に本発明における再送信開始操作が行われたとして操作信号Ｓ２（操作信号Ｓ３）に再送信情報を付加する構成のリモートコントローラ３を例に挙げて説明したが、本発明における遠隔操作装置の構成はこれに限定されない。例えば、操作部２１の所定の操作スイッチが予め規定された所定時間内（一例として１秒以内）に２回連続して操作されたときに制御部２２が再送信開始操作が行われたと判別する構成や、再送信スイッチ３８を操作した状態（再送信スイッチ３８を押圧した状態）でいずれかの操作スイッチが操作されたときに制御部２２が再送信開始操作が行われたと判別する構成を採用することができる。
【００５５】
また、液晶ライトバルブを備えたプロジェクタ１を例に挙げて説明したが、液晶ライトバルブに代えて、デジタルマイクロミラーデバイス等の光変調素子を採用してプロジェクタを構成することができる。この場合、光変調素子として液晶ライトバルブを採用するときにも、透過型の液晶ライトバルブに限定されず、反射型の液晶ライトバルブを採用することができる。さらに、フロント投写型のプロジェクタ１を例に挙げて説明したが、本発明に係るプロジェクタはフロント投写型に限定されず、背面投写型のプロジェクタに本発明を適用することもできる。また、本発明における対象機器の一例としての投写機構を備えたプロジェクタ１を例に挙げて説明したが、本発明に係る制御装置、制御システムおよび制御方法によって制御する対象機器（本発明における遠隔操作装置および遠隔操作方法によって遠隔操作する対象機器）は、投写機構に限定されず、ファンヒータ、電気ストーブ、扇風機、冷房機および換気扇などの各種空調機器や、照明器具、視聴覚機器、パーソナルコンピュータおよびプリンタなどの各種電化製品がこれに含まれる。
【図面の簡単な説明】
【００５６】
【図１】プロジェクタ１の構成を示すブロック図である。
【図２】プロジェクタ１におけるリモートコントローラ３の外観図である。
【図３】遠隔操作処理４０のフローチャートである。
【図４】動作制御処理６０のフローチャートである。
【符号の説明】
【００５７】
１  プロジェクタ、２  プロジェクタ本体、３  リモートコントローラ、１１  切替部、１２  映像音声処理部、１３  映像表示部、１４  音声出力部、１５  受信部、１６  操作信号処理部、１７  記憶部、１８  制御部、１９  電源部、２１  操作部、２２  制御部、２３  記憶部、２４  送信部、２５  タイマ、３１  電源スイッチ、３２  メニュースイッチ、３３ａ，３３ｂ  ズームスイッチ、３４  決定スイッチ、３５  戻るスイッチ、３６ａ，３６ｂ  音量調整スイッチ、３７  カーソル移動スイッチ、３８  再送信スイッチ、４０  遠隔操作処理、６０  動作制御処理、Ｄ１，Ｄ２  操作信号情報、Ｓ１〜Ｓ４  操作信号、Ｓ５〜Ｓ７  制御信号
【図１】
2009027226.tif 000003
【図２】
2009027226.tif 000004
【図３】
2009027226.tif 000005
【図４】
2009027226.tif 000006